(57)【要約】      （修正有）【課題】皮膚のタイトジャンクション機能を明らかにし、該タイトジャンクション機能を利用して、スキンケアに有用な物質を鑑別する方法の提供。【解決手段】動物の皮内（真皮内）に透過性マーカーを注射し、この透過性マーカーの拡散状況・タイトジャンクション部分を通しての透過状況をモニタリングすることにより、皮膚タイトジャンクション部分を通しての物質透過性の状況を評価することにより、皮膚のバリア機能の状況が鑑別できた。【選択図】なし【特許請求の範囲】
【請求項１】
予め動物の皮膚にダメージを与えた群の動物と、ダメージを与える前及び／又は、後に動物の皮膚上に被検試料を投与した群の動物の皮膚を比較する、被検試料の皮膚への作用の鑑別法であって、被検試料の有無による動物の皮内（真皮）に注射した透過性マーカーの真皮側から角層側への透過性の変化を指標とすることを特徴とする、被検試料の皮膚への作用の鑑別法。
【請求項２】
前記透過性の変化が、透過性マーカーの皮膚内での拡散状況であることを特徴とする請求項１に記載の被検試料の皮膚への作用の鑑別法。
【請求項３】
前記透過性の変化に於いて、被検試料の投与による、透過性の低下度合いが大きいほど、被検試料が、皮膚に対してより好ましい作用を有するものであると鑑別することを特徴とする、請求項１又は２に記載の被検試料の皮膚への作用の鑑別法。
【請求項４】
前記ダメージが紫外線照射による、皮膚の障害であることを特徴とする、請求項１〜３何れか１項に記載の被検試料の皮膚への作用の鑑別法。
【請求項５】
前記被検試料の投与による、透過性マーカーの透過性の低下が、角層細胞に存在するタイトジャンクションタンパクの結合強化によるものであることを特徴とする、請求項１〜４何れか１項に記載の被検試料の皮膚への作用の鑑別法。
【請求項６】
体毛の無い、又は体毛を除去した、ヒトを除く動物の背部に、紫外線を照射して作成した、タイトジャンクションへ作用する物質を評価するためのモデル動物。
【請求項７】
ヘアレスマウスであることを特徴とする、請求項６に記載のモデル動物。
【請求項８】
請求項６又は７に記載のモデル動物と、その皮内に注射すべき透過性マーカー組成物と、透過性マーカーの検知手段とからなる、角層タイトジャンクション機能の評価キット。
【発明の詳細な説明】
【技術分野】
【０００１】
本発明は、化粧料原料など皮膚への作用を有する物質の作用の鑑別法に関する。
【背景技術】
【０００２】
皮膚機能は、生体防御という観点では、生体と外界とを隔絶する器官であることから、非常に重要な器官となっている。この様な防御作用の大きな部分を担っているのは角層と言われており、その角層の形状が皮膚の防御機能の指標となっていることは既に知られていることである。近年、この様な角層機能のみでは生体防御性が語れないとの説が現れ始めており、細胞同士を接着するタイトジャンクションタンパクの機能が重要な役割を果たしているとの説が提出されている。ここで、タイトジャンクションとは、上皮系の細胞の細胞間の接着装置として発現しており、細胞同士を強力に接着して、細胞間の物質の移動を制御している物質と言われている。例えば、腸管での物質の吸収においては、タイトジャンクションの機能を高めることにより、アレルギー作用を有する物質の生体内への吸収を抑制させる試みなどがなされている（例えば，特許文献１，特許文献２，特許文献３）。この様なタイトジャンクションの機能を高め、生体防御能を高める作用を有する物質のスクリーニング方法として、透過性膜上にヒト結腸癌由来のＣａｃｏ−２細胞を培養して、細胞間にタイトジャンクションを形成させた後に、モデルアレルゲン物質と被検物質を膜の片側に存在させ、タイトジャンクションを介したアレルゲン物質の透過性を検出して、タイトジャンクションの機能を強化することによる腸管でのアレルゲン物質の吸収を抑制する被検物質のスクリーニング方法などが存する（例えば、特許文献４）。前記タイトジャンクションの機能に関連するタンパク質として、クローディンファミリーが報告され、クローディンタンパク質とタイトジャンクションの腸管におけるバリア機能との関連性が示唆されている（例えば、特許文献５）。一方、皮膚においては、これまで角層がそのバリア機能のほとんどを担っていると考えられてきたが、テープストリッピングによって、角層を除去しても経表皮水分蒸散量（ＴＥＷＬ）が上昇しないヒトがいるなど、角層以外での皮膚のバリア機能の存在も示唆されてきた（例えば、非特許文献１）。また、クローディン１のノックアウトマウスにおいて、タイトジャンクション機能が消失し、皮膚の水分バリア機能が大きな影響を受け、水分を維持できず生後すぐに死に至ることが報告され、皮膚のバリア機能においてもタイトジャンクションが大きな影響を有していること（例えば、非特許文献２）が示唆された。しかし、遺伝子等に変異のないノーマルな状態の皮膚におけるタイトジャンクションの役割やどのような状況でタイトジャンクションの機能が変化するのかなど、遺伝子的に変異のないノーマルな状態や成熟した動物の皮膚での皮膚タイトジャンクションの機能に関しての知見は知られていない。又、どの様な因子により、タイトジャンクション機能が損なわれるかも全く知られていない。又、タイトジャンクションの機能を高め、皮膚のバリア機能を高めてスキンケアに役立てる試みも為されていない。
【０００３】
【特許文献１】特開平８−２６８９０８
【特許文献２】特開平９−３０９７８
【特許文献３】特開平９−２４１１７７
【特許文献４】特開２００２−２５７８１４
【特許文献５】特開２００３−２４５０６８
【非特許文献１】Skin Res. Technol., 7, 40-48(2001)
【非特許文献２】J. Cell Biol., 156, 1099-1111(2002)
【発明の開示】
【発明が解決しようとする課題】
【０００４】
本発明は、皮膚のタイトジャンクション機能を明らかにし、該タイトジャンクション機能を利用して、スキンケアに有用な物質を鑑別する方法を提供することを課題とする。
【課題を解決するための手段】
【０００５】
この様な状況に鑑みて、本発明者らは、皮膚のタイトジャンクション機能を明らかにし、該タイトジャンクション機能を利用して、スキンケアに有用な物質を鑑別する方法を求めて、鋭意研究努力を重ねた結果、紫外線照射などの皮膚ダメージを与えられた動物の皮膚において皮膚タイトジャンクションの物質透過性が亢進することを見い出し、更に検討を加え、これを利用することにより、前記の鑑別が行えることを見出し、発明を完成させるに至った。即ち、本発明は、以下に示す技術に関するものである。
【０００６】
（１）予め動物の皮膚にダメージを与えた群の動物と、ダメージを与える前及び／又は、後に動物の皮膚上に被検試料を塗布した投与群の動物の皮膚を比較する、被検試料の皮膚への作用の鑑別法であって、被検試料の有無による動物の皮内（真皮）に注射した透過性マーカーの真皮側から角層側への透過性の変化を指標とすることを特徴とする、被検試料の皮膚への作用の鑑別法。
（２）前記透過性の変化が、透過性マーカーの皮膚内での拡散状況であることを特徴とする（１）に記載の被検試料の皮膚への作用の鑑別法。
（３）前記透過性の変化に於いて、被検試料の投与による、透過性の低下度合いが大きいほど、被検試料が、皮膚に対してより好ましい作用を有するものであると鑑別することを特徴とする、（１）又は（２）に記載の被検試料の皮膚への作用の鑑別法。
（４）前記ダメージが紫外線照射による、皮膚の障害であることを特徴とする、（１）〜（３）何れか１項に記載の被検試料の皮膚への作用の鑑別法。
（５）前記被検試料の投与による、透過性マーカーの透過性の低下が、角層細胞に存在するタイトジャンクションタンパクの結合強化によるものであることを特徴とする、（１）〜（４）何れか１項に記載の被検試料の皮膚への作用の鑑別法。
（６）体毛のない、又は体毛を除去した、ヒトを除く動物の背部に、紫外線を照射して作成した、タイトジャンクションへ作用する物質を評価するためのモデル動物。
（７）ヘアレスマウスであることを特徴とする、（６）に記載のモデル動物。
（８）（６）又は（７）に記載のモデル動物と、その皮内に注射すべき透過性マーカー組成物と、透過性マーカーの検知手段とからなる、角層タイトジャンクション機能の評価キット。
【発明の効果】
【０００７】
本発明によれば、皮膚のタイトジャンクション機能を明らかにし、該タイトジャンクション機能を利用して、スキンケアに有用な物質を鑑別する方法を提供することができる。
【発明を実施するための最良の形態】
【０００８】
本発明の被検物質の皮膚への作用の鑑別法は、予め動物の皮膚にダメージを与えた群の動物と、ダメージを与える前及び／又は、後に動物の皮膚上に被検試料を塗布した投与群の動物の皮膚を比較する、被検試料の皮膚への作用の鑑別法であって、被検試料の有無による動物の皮膚内に注射した透過性マーカーの真皮側から角層側への透過性の変化を指標とすることを特徴とする。
【０００９】
本発明の皮膚への作用の鑑別法において使用される動物は、ヒト以外であって、一般的に使用が容易なものとしてマウス、ラット、モルモット、ウサギ、イヌ、ネコ、ブタ、サルなどが挙げられる。さらに皮膚に体毛を有していない動物がより好適であり、ヘアレスマウス、ヘアレスラット、ヘアレスモルモットなどが例示されるが、取り扱いの容易さからヘアレスマウスがもっとも好ましい。また、体毛のある動物においても体毛を除去することにより使用可能であることは言うまでもない。
【００１０】
本発明で用いる皮膚ダメージとしては，紫外線の照射、テープストリッピングによる角層の剥離、乾燥環境下での飼育、アセトンなどの有機溶剤による脱脂、ラウリル硫酸ナトリウム（ＳＤＳ）などの化学物質の塗布などが挙げられるが、ダメージ処理と併せて被検試料による皮膚の処理を行うことを考えると、皮膚上でのダメージ処理と被検試料による処理が重ならないような、紫外線の照射、テープストリッピングによる角層の剥離、乾燥環境下での飼育などが好ましい。その中でも、紫外線の照射が、処置の簡便さからもっとも好ましいダメージ処理として挙げられる。
【００１１】
本発明の皮膚への作用の鑑別法において使用される被検物質としては、特に限定しないが、植物及び／又はその乾燥物の裁断物、破砕物、粉砕物を用いることも可能であるが、植物の溶媒による抽出エキス、種々の医薬品、化粧品原料などが挙げられる。これらの内、皮膚に対する悪影響が少ないものであれば使用可能である。被検物質を含む被検試料としては、皮膚に適用される形態であれば何ら支障がなく使用でき、例えば、クリーム剤、軟膏剤、液剤などに被検物質を添加したのもの、エタノール、プロピレングリコール、１，３−ブタンジオールなどのアルコール類及び／又は水との混合溶媒など、ジメチルスルホキシドなどの皮膚への影響の少ない有機溶剤及び／又は水との混合溶媒など、更には閉塞作用のある貼付剤などに被検物質を添加したものなどが挙げられる。試料の調整のし易さから、エタノール、プロピレングリコール、１，３−ブタンジオールなどのアルコール類及び／又は水との混合溶媒などに被検物質を添加したもの、ジメチルスルホキシド及び／又は水に被検物質を添加したものが好適である。
【００１２】
これらの被検試料の投与は、試験対象部位への被検試料の塗布などによって行われ、塗布は１日数回、好ましくは１日２〜３回の塗布を、皮膚ダメージを与える前及び／又は後に１〜２週間継続することによってなされる。
【００１３】
本発明の皮膚への作用の鑑別法において用いられる透過性マーカーとしては、生体への影響が少なく、肉眼及び／又は顕微鏡下でその存在が確認できれば良く、例えば、ブリリアントグリーン、メチレンブルー、エバンスブルー、ゲンチアナバイオレットなどの各種染料、又はフルオレセイン、ローダミン、テトラメチルローダミン、ダンシルなどの蛍光物質、さらには、これらの染料、蛍光物質に生体内のタンパク質などと反応しうる酸クロリド、Ｎーヒドロキシサクシイミドなどの反応性の基が結合したアミノ基反応性の染料、蛍光物質などが挙げられる。また、透過性マーカーとして、ビオチンのように他の物質と特異的に結合できる性質を有している物質も使用できる。例えば、ビオチンはアビジンと特異的な結合を形成する性質を有しており、透過性マーカーとしてビオチンを使用し、組織観察時に、蛍光標識化したアビジンを用いることによりビオチンを可視化することができる。このようなアビジン系の物質としては、アビジン、ストレプトアビジンが例示できる。このうち、アミノ基反応性のサクシニルイミド基などの結合したビオチンが、分子量も小さく、細胞間の移動性の良い透過性マーカーとして好適である。この場合は、組織観察時に、蛍光標識化したアビジンなどを用いてビオチンを可視化する必要がある。これらの透過性マーカーは、必要に応じて、水、各種緩衝溶液、生理食塩水、緩衝生理食塩水などに溶解して用いられる。
【００１４】
透過性マーカーの注射は、動物の試験対象部位の皮内（真皮部分）への注射によって行われる。この時使用する注射針の太さは、ツベルクリン用のものを使用することができ、２６〜２７Ｇが好適である。
【００１５】
本発明の皮膚への作用の鑑別法において、透過性マーカーの透過状況の観察としては、そのまま皮膚表面より、またテープストリッピングで角層を除去した後表面から観察することも可能であるが、より厳密に評価するには、動物より皮膚組織を切り出し、皮膚組織切片を作成し、顕微鏡下、皮膚表面から垂直断面方向での透過性マーカーの透過、拡散状況を検出する方が好ましい。
【００１６】
本発明の皮膚への作用の鑑別法において、皮膚内に注射した透過性マーカーの真皮側から角層側への透過性の変化とは、作成された組織標本において、抗オクルディン抗体によって認識されるタイトジャンクションの位置と透過性マーカーの検出によって認識される細胞間の物質の移動状態を比べ、タイトジャンクションの位置において透過性マーカーが堰きとめられていれば、タイトジャンクション機能が強固で透過性低く、タイトジャンクションの位置を越えて角層側へ透過性マーカーが透過していれば、タイトジャンクション機能が弱体化していると評価できる。
【００１７】
具体的には、皮膚タイトジャンクション機能を強化する被検試料の皮膚への作用の鑑別においては、顕微鏡下で、抗オクルーディン抗体でドット状に認識される皮膚タイトジャンクションを検出し、且つ、その部分での透過性マーカーの透過状況を観察し、「紫外線非照射の皮膚タイトジャンクションの状態」、「紫外線照射のみの皮膚タイトジャンクションの状態」と対照として、「紫外線照射且つ被検試料投与の皮膚タイトジャンクションの状態」を比較して、皮膚タイトジャンクションの存在箇所数に対して、どの程度マーカーの透過箇所数が抑えられたかを評価することによる、被検試料の皮膚への作用の鑑別法に関する。
【００１８】
この組織標本を、以下のような基準によって評価することにより、種々の被検試料における、皮膚タイトジャンクション機能の向上効果が評価可能となる。
（評価基準の一例）
タイトジャンクション機能強化度（％）＝（組織切片単位長さ当たりの透過性マーカーがタイトジャンクション部分で堰きとめられている箇所数／組織切片単位長さ当たりのオクルーディン染色で認識されるタイトジャンクション箇所数）×１００
一群５匹で評価し、その平均値をランク分けする（表１）。
＋＋：９０％以上（ＵＶ−Ｂ非照射群と同等）
＋  ：５０％以上９０％未満
±  ：１０から５０％未満
−  ：０から１０％未満（ＵＶ−Ｂ照射のみの群と同等）
【００１９】
【表１】
2006250786.tif 000002
【００２０】
表１のような結果が得られた場合、Ａエキスはタイトジャンクション機能の強化に有効であるが、Ｂエキスはタイトジャンクション機能の強化に効果が認められないと判断できる。
【００２１】
以下に、本発明に関して見出された、非ダメージ処理皮膚と紫外線照射によるダメージ処理皮膚における皮膚タイトジャンクションの状態、及び、その時の透過性マーカーの浸透状態、さらには本発明の皮膚への作用の鑑別に関して実施例を挙げて詳細に説明する。
【実施例１】
【００２２】
１５匹のヘアレスマウスのＴＥＷＬ（Trans Epidermal Water Loss；経表皮水分蒸散量）を測定し、ＴＥＷＬの値から等価な三群に群分けした。この内の一群には０．０１％デキサメタゾンのプロピレングリコール溶液を一日３回塗布し続けた。もう一群は紫外線照射のみの群とし、残り一群は紫外線非照射群とした。群分け２４時間後に、デキサメタゾン塗布群と紫外線照射群の背部皮膚に１６０ｍＪの紫外線（ＵＶ−Ｂ）を照射し、紫外線照射７２時間後に、再びＴＥＷＬ値を測定した。この時、紫外線照射のみの群のＴＥＷＬ値は、紫外線の照射前後で２倍程度に上昇し、紫外線の照射により、皮膚の水分蒸散抑制機能が損傷を受けていることがを確認できた（表２）。デキサメタゾン塗布群では、ＴＥＷＬの上昇が抑えられている傾向が認められた。その後、紫外線を照射した部位の皮膚に１００μlの透過性マーカー水溶液（１０ｍｇ／ｍｌ  ＥＺ−ＬＩＮＫＴＭ−スルフォ−ＮＨＳ−ＬＣ−ビオチン（以下ビオチン誘導体とする、ピアス社製；ＰＩＥＲＣＥ）および１ｍＭの塩化カルシウムを含むリン酸バッファー（ｐＨ７．４）を皮内注射し、１時間後に皮膚を採取した。採取した皮膚から凍結切片を作成し、ブロッキング操作の後、抗オクルーディン一次抗体（ザイメッド社製：ＺＹＭＥＤ）とＦＩＴＣ標識二次抗体処理による蛍光抗体染色によって皮膚タイトジャンクションを染色した。次いで、ストレプトアビジンテキサスレッド（オンコジーン社製：ＯＮＣＯＧＥＮＥ）により透過性マーカーであるビオチン誘導体の蛍光染色をした。これらを、落射蛍光顕微鏡にて観察し、ＦＩＴＣの緑の蛍光で示される皮膚タイトジャンクション部位とテキサスレッドの赤の蛍光で示される透過性マーカーを検出し、画像として撮影した。この画像を重ね合わせることにより、皮膚タイトジャンクションの位置と透過性マーカーの状態を評価した（図１、図２、図３）。同時に、紫外線照射などの処置を何ら施さないヘアレスマウスにおいても透過性マーカーの皮内注射およびその後の皮膚採取を行い、未処置の皮膚でのタイトジャンクション位置及び透過性マーカーの状態を評価した（図４，図５、図６）。オクルーディン抗体によるタイトジャンクション部分の認識と透過性マーカーのよる透過性の評価は、以下のような基準によって行った。それぞれ、一群５匹で評価し、その平均値で判断した。
【００２３】
（評価基準）  タイトジャンクション機能強化度
タイトジャンクション機能強化度（％）＝（組織切片１ｃｍ当たりの透過性マーカーがタイトジャンクション部分で堰きとめられている箇所数／組織切片１ｃｍ当たりのオクルーディン染色で認識されるタイトジャンクション箇所数）×１００
一群５匹で評価し、その平均値をランク分けした（表３）。
＋＋：９０％以上（ＵＶ−Ｂ非照射群と同等）
＋  ：５０％以上９０％未満
±  ：１０から５０％未満
−  ：０から１０％未満（ＵＶ−Ｂ照射のみの群と同等）
【００２４】
【表２】
2006250786.tif 000003
【００２５】
図１，図２、図３は、紫外線照射のみを行ったヘアレスマウスの皮膚組織切片図である。図１は透過性マーカーの染色像、図２はオクルーディンの蛍光抗体染色像、図３は透過性マーカーとオクルーディン蛍光染色の重ね合わせ像であり、図３より、紫外線照射では、オクルーディン染色で示される皮膚タイトジャンクションの位置（矢印）を超えて角層側（図の上方）に透過性マーカーが拡散していることが判る。 図４、図５、図６は、紫外線非照射のヘアレスマウスの皮膚組織切片図である。図４は透過性マーカーの染色像、図５はオクルーディンの蛍光抗体染色像、図６は透過性マーカーとオクルーディン蛍光染色の重ね合わせ像であり、図６より、紫外線非照射では、オクルーディン染色で示される皮膚タイトジャンクションの位置（矢印）で、透過性マーカーが堰きとめられている。これらのことより、紫外線照射による皮膚ダメージにより、皮膚タイトジャンクション構造が弱体化し、細胞間の結合がゆるみ、皮膚バリア機能が低下したことが判る。０．０１％デキサメタゾンを塗布したヘアレスマウスでのタイトジャンクション部分を通しての透過性マーカーの透過性部分は、紫外線のみの照射皮膚の４割程度で、図３と図６の中間くらいであった。結果を表３に示す。
【００２６】
【表３】
2006250786.tif 000004
【産業上の利用可能性】
【００２７】
本発明は、皮膚バリア能の高い化粧料の開発へ利用できる。
【図面の簡単な説明】
【００２８】
【図１】紫外線照射時の透過性マーカー染色の皮膚組織切片図である。
【００２９】
【図２】紫外線照射時のオクルーディン染色の皮膚組織切片図である。
【００３０】
【図３】紫外線照射時のオクルーディン染色と透過性マーカー染色の重ね合わせの皮膚組織切片図である。
【００３１】
【図４】紫外線非照射時の透過性マーカー染色の皮膚組織切片図である。
【００３２】
【図５】紫外線非照射時のオクルーディン染色の皮膚組織切片図である。
【００３３】
【図６】紫外線非照射時のオクルーディン染色と透過性マーカー染色の重ね合わせの皮膚組織切片図である。
【図１】
2006250786.tif 000005
【図２】
2006250786.tif 000006
【図３】
2006250786.tif 000007
【図４】
2006250786.tif 000008
【図５】
2006250786.tif 000009
【図６】
2006250786.tif 000010